(57)【要約】      （修正有）【課題】ペットの肛門に開口部を近接又は遠くに臨ませ、糞を簡易且つ迅速に回収することができる使用勝手が向上した糞収納袋及びペット用おむつを提供する。【解決手段】糞収納袋４は、本体１の長手方向の腹当接部２と背当接部３との間であって、ペット５の肛門に臨む位置にある開口部Ｋを有したペット用おむつＰに装着される糞を収納する糞収納袋４であって、糞収納袋４の開口部４１は、ペット５の肛門に臨むように、開口部Ｋの縁部に取り付けられ、糞収納袋４の開口部４１から遠い側の糞収納袋４の端部４２は閉塞すると共に、本体１の外側に位置し、糞収納袋４は、ペット５の尻尾５１を通す尻尾穴４３を備え、糞収納袋４は、上部に開口部４１を有する柔軟性のある合成樹脂製の樹脂袋で、糞収納袋４の開口縁部の裏面側を本体１の内側の開口部Ｋの縁部に接着剤で接着することができる。【選択図】図５
2019022466.tif 000002
【特許請求の範囲】
【請求項１】
本体の長手方向の腹当接部と背当接部との間であって、ペットの肛門に臨む位置にある開口部を有したペット用おむつに装着される糞を収納する糞収納袋であって、
前記糞収納袋の開口部は、前記ペットの肛門に臨むように、前記開口部の縁部に取り付けられ、
前記糞収納袋の開口部から遠い側の前記糞収納袋の端部は閉塞すると共に、前記本体の外側に位置し、
前記糞収納袋は、ペットの尻尾を通す尻尾穴を備え、
前記糞収納袋は、上部に開口部を有する柔軟性のある合成樹脂製の樹脂袋で、前記糞収納袋の開口縁部の裏面側を前記本体の内側の開口部の縁部に接着剤で接着することができる
ことを特徴とする糞収納袋。
【請求項２】
糞収納袋の開口縁部の裏面側に縁部材が設けられ、前記縁部材が本体の内側の開口部の縁部に接着剤を介して着脱自在に取り付けられている
ことを特徴とする請求項１記載の糞収納袋。
【請求項３】
糞収納袋に形成された尻尾穴は、十字又は逆Ｔ字に切り込みが入れられている
ことを特徴とする請求項１〜２のいずれかに記載の糞収納袋。
【請求項４】
本体の長手方向の腹当接部と背当接部との間に開口部を有したペット用おむつであって、
前記本体の外側に位置し、糞を収納する糞収納袋と、
前記糞収納袋に設けられ、ペットの尻尾を通す尻尾穴とを備え、
前記糞収納袋の開口部は、前記ペットの肛門に臨むように、前記本体の内側の前記開口部の縁部に取り付けられ、
前記糞収納袋は、上部に開口部を有する柔軟性のある合成樹脂製の樹脂袋で、前記糞収納袋の開口縁部の裏面側を前記本体の内側の開口部の縁部に接着剤で接着しているものである
ことを特徴とするペット用おむつ。
【請求項５】
本体の腹当接部に着脱自在に取り付けられた尿とりパッドとを備えている
ことを特徴とする請求項４記載のペット用おむつ。
【請求項６】
袋と、
この袋の開口縁部を外側に折り曲げて形成された折り曲げ部と、
前記袋の外側であって前記折り曲げ部の内側に位置する帯状部材とを備え、
前記帯状部材の一方の端部より他方の端部に近い側に設けられ、前記帯状部材の長手方向に平行なスリットが設けられ、
前記帯状部材の一方の端部をこのスリットに通し、前記帯状部材の一方の端部を引っ張り、この引っ張りを解除した位置で前記帯状部材が前記スリットに摩擦により係止するものであり、
前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記スリットに摩擦により係止させる
ことを特徴とする糞収納袋。
【請求項７】
袋と、
この袋の内側に位置した紙製の袋と、
前記袋及び前記紙製の袋の開口縁部を外側に折り曲げて形成された折り曲げ部と、
前記袋の外側であって前記折り曲げ部の内側に位置する帯状部材とを備え、
前記帯状部材の一方の端部より他方の端部に近い側にあって、前記帯状部材の長手方向に平行なスリットが設けられ、
前記帯状部材の一方の端部を前記スリットに通し、前記帯状部材の一方の端部を引っ張り、この引っ張りを解除した位置で前記帯状部材が前記スリットに摩擦により係止するものであり、
前記帯状部材により保持された前記袋及び前記紙製の袋の開口部をペットの肛門の下方位置に置き、
前記紙製の袋に糞が収納された後、前記袋及び前記紙製の袋の開口部が閉じるように前記帯状部材の一方の端部を引っ張り、この引っ張りを解除した位置で前記スリットに前記帯状部材を摩擦により係止させる
ことを特徴とする糞収納袋。
【発明の詳細な説明】
【技術分野】
【０００１】
本発明は、糞収納袋及びペット用おむつに係り、特に、ペットの肛門に開口部を近接又は遠くに臨ませ、糞を簡易且つ迅速に回収することができる使用勝手が向上した糞収納袋及びペット用おむつに関する。
【背景技術】
【０００２】
おむつ本体の長手方向の腹当て部と背当て部との間に尻当て部を備えたペット用使い捨ておむつがある（例えば、特許文献１参照）。
このペット用使い捨ておむつは、前記尻当て部に、ペットの尻尾を通す第１尻尾穴と、ペットの肛門部の後側を開放する糞排泄穴とを前記長手方向の長穴状に設け、前記おむつ本体の外側で前記第１尻尾穴、前記糞排泄穴の外周側に、上部側が前記第１尻尾穴及び前記糞排泄穴に対応し且つ前記糞排泄穴よりも下側にペットから排泄された糞を受ける糞溜まり部ができるように糞ポケットを貼着し、前記糞ポケットの外側の上部に、ペットの尻尾を通す第２尻尾穴を前記第１尻尾穴に対応して設け、前記糞ポケットにおける前記第２尻尾孔よりも上側に、必要に応じて開封することにより糞ポケット内の糞を外に排出するための開封部を有するものである。
【先行技術文献】
【特許文献】
【０００３】
【特許文献１】特許第３７６４３９３号公報
【発明の概要】
【発明が解決しようとする課題】
【０００４】
ところが、上記ペット用使い捨ておむつにあっては、使用後には糞の入った糞ポケット９をおむつ本体１に丸め込んでファスナーテープ１５で止めて廃棄する（段落番号００３１）、開封部３１はシート材３０の上端側に幅方向にミシン目、ハーフカット等を形成することにより、必要に応じて容易に開封できるようになっており、糞ポケット９内の糞をおむつ本体１と別に廃棄する場合には、この開封部３１を開封して糞を排出する。（段落番号００４０）と記載されているように、ペットの肛門に臨む位置にある開口部縁部を利用して糞ポケット９を装着するという着眼点は、一切無く、糞ポケット９の装着に汎用性がなく改善の余地があるという問題点があった。
【０００５】
本発明は、上記問題点を考慮してなされた糞収納袋及びペット用おむつを提供することを目的とする。
【課題を解決するための手段】
【０００６】
請求項１記載の糞収納袋は、本体の長手方向の腹当接部と背当接部との間であって、ペットの肛門に臨む位置にある開口部を有したペット用おむつに装着される糞を収納する糞収納袋であって、前記糞収納袋の開口部は、前記ペットの肛門に臨むように、前記開口部の縁部に取り付けられ、前記糞収納袋の開口部から遠い側の前記糞収納袋の端部は閉塞すると共に、前記本体の外側に位置し、前記糞収納袋は、ペットの尻尾を通す尻尾穴を備え、前記糞収納袋は、上部に開口部を有する柔軟性のある合成樹脂製の樹脂袋で、前記糞収納袋の開口縁部の裏面側を前記本体の内側の開口部の縁部に接着剤で接着することができるものである。
【０００７】
また、請求項２記載の糞収納袋は、請求項１記載の糞収納袋において、糞収納袋の開口縁部の裏面側に縁部材が設けられ、前記縁部材が本体の内側の開口部の縁部に接着剤を介して着脱自在に取り付けられているものである。
【０００８】
また、請求項３記載の糞収納袋は、請求項１〜２のいずれかに記載の糞収納袋において、糞収納袋に形成された尻尾穴は、十字又は逆Ｔ字に切り込みが入れられているものである。
【０００９】
また、請求項４記載のペット用おむつは、本体の長手方向の腹当接部と背当接部との間に開口部を有したペット用おむつであって、前記本体の外側に位置し、糞を収納する糞収納袋と、前記糞収納袋に設けられ、ペットの尻尾を通す尻尾穴とを備え、前記糞収納袋の開口部は、前記ペットの肛門に臨むように、前記本体の内側の前記開口部の縁部に取り付けられ、前記糞収納袋は、上部に開口部を有する柔軟性のある合成樹脂製の樹脂袋で、前記糞収納袋の開口縁部の裏面側を前記本体の内側の開口部の縁部に接着剤で接着しているものである。
【００１０】
また、請求項５記載のペット用おむつは、請求項４記載のペット用おむつにおいて、本体の腹当接部に着脱自在に取り付けられた尿とりパッドとを備えているものである。
【００１１】
また、請求項６記載の糞収納袋は、袋と、この袋の開口縁部を外側に折り曲げて形成された折り曲げ部と、前記袋の外側であって前記折り曲げ部の内側に位置する帯状部材とを備え、前記帯状部材の一方の端部より他方の端部に近い側に設けられ、前記帯状部材の長手方向に平行なスリットが設けられ、前記帯状部材の一方の端部をこのスリットに通し、前記帯状部材の一方の端部を引っ張り、この引っ張りを解除した位置で前記帯状部材が前記スリットに摩擦により係止するものであり、前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記スリットに摩擦により係止させるものである。
【００１２】
また、請求項７記載の糞収納袋は、袋と、この袋の内側に位置した紙製の袋と、前記袋及び前記紙製の袋の開口縁部を外側に折り曲げて形成された折り曲げ部と、前記袋の外側であって前記折り曲げ部の内側に位置する帯状部材とを備え、前記帯状部材の一方の端部より他方の端部に近い側にあって、前記帯状部材の長手方向に平行なスリットが設けられ、前記帯状部材の一方の端部を前記スリットに通し、前記帯状部材の一方の端部を引っ張り、この引っ張りを解除した位置で前記帯状部材が前記スリットに摩擦により係止するものであり、前記帯状部材により保持された前記袋及び前記紙製の袋の開口部をペットの肛門の下方位置に置き、前記紙製の袋に糞が収納された後、前記袋及び前記紙製の袋の開口部が閉じるように前記帯状部材の一方の端部を引っ張り、この引っ張りを解除した位置で前記スリットに前記帯状部材を摩擦により係止させるものである。
【発明の効果】
【００１３】
請求項１記載の糞収納袋によれば、糞収納袋の開口縁部の裏面側を本体の内側の開口部の縁部に接着剤で接着することができるため、本体の長手方向の腹当接部と背当接部との間であって、ペットの肛門に臨む位置にある開口部を利用して、糞収納袋をペット用おむつに容易に装着して、糞を簡易且つ迅速に回収することができる使用勝手が向上した糞収納袋を得ることができ、
しかも、糞収納袋は、柔軟性のある合成樹脂製の樹脂袋であるため、ペットがペット用おむつを装着した使用中、ペットが寝たり、歩いたりしても、ペットの動きを糞収納袋が妨げない利便性を有し、
また、糞収納袋のみが使用済みで、糞収納袋以外のペット用おむつが使用可能であれば、使用済みの糞収納袋を、ペット用おむつから離脱し、未使用の糞収納袋をペット用おむつに装着すればペット用おむつとして、再生することができる。
【００１４】
また、請求項２記載の糞収納袋によれば、上述した請求項１記載の発明の効果に加え、糞収納袋の開口縁部の裏面側に縁部材が設けられ、前記縁部材が本体の内側の開口部の縁部に接着剤を介して着脱自在に取り付けられているため、糞収納袋を本体に容易に着脱することができる。
【００１５】
また、請求項３記載の糞収納袋によれば、上述した請求項１〜２のいずれかに記載の発明の効果に加え、糞収納袋に形成された尻尾穴は、十字又は逆Ｔ字の切り込みが入れられていると、装着されるペットの尻尾の太さに応じて、つまり、切り込みが小さい場合、十字又は逆Ｔ字の切り込みを若干裂いてフィットさせることができ、糞収納袋の開口部と肛門の位置をずらすことなく装着でき、柔らかい便も外に漏らすことを防ぐことができる。
【００１６】
また、請求項４記載のペット用おむつによれば、糞収納袋の開口縁部の裏面側を本体の内側の開口部の縁部に接着剤で接着することができるため、本体の長手方向の腹当接部と背当接部との間であって、ペットの肛門に臨む位置にある開口部を利用して、糞収納袋をペット用おむつに容易に装着して使用勝手が向上したペット用おむつを得ることができ、
しかも、糞収納袋は、柔軟性のある合成樹脂製の樹脂袋であるため、ペットがペット用おむつを装着した使用中、ペットが寝たり、歩いたりしても、ペットの動きを糞収納袋が妨げない利便性を有し、
また、糞収納袋のみが使用済みで、糞収納袋以外のペット用おむつが使用可能であれば、使用済みの糞収納袋を、ペット用おむつから離脱し、未使用の糞収納袋をペット用おむつに装着すればペット用おむつとして、再生することができる。
【００１７】
また、請求項５記載のペット用おむつによれば、上述した請求項４記載の発明の効果に加え、尿とりパッドのみ使用済みであれば、未使用の尿とりパッドを取り付けて対応することができる。
【００１８】
また、請求項６記載の糞収納袋によれば、帯状部材により保持された袋の開口部をペットの糞の落下位置に置き、袋に糞が収納された後、袋の開口部が閉じるように前記帯状部材の一方の端部を引っ張り、この引っ張りを解除した位置で前記スリットに前記帯状部材を摩擦により係止させるため、糞を簡易且つ迅速に回収することができる。
【００１９】
また、請求項７記載の糞収納袋によれば、帯状部材により保持された袋及び紙製の袋の開口部をペットの糞の落下予想位置に置き、紙製の袋に糞が収納された後、袋及び紙製の袋の開口部が閉じるように帯状部材の一方の端部を引っ張り、この引っ張りを解除した位置で帯状部材をスリットに摩擦により係止させるため、糞を簡易且つ迅速に回収することは勿論のこと、糞の回収後、 袋から糞が入った紙製の袋を簡易且つ迅速に分離することができ、場合によっては、糞が入った紙製の袋をトイレに流して処理することができる。
【図面の簡単な説明】
【００２０】
【図１】図１は、本発明の一実施例の糞収納袋を装着した使用状態を示す概略的斜視図である。
【図２】図２は、図１の概略的平面図である。
【図３】図３は、図１のペット用おむつの概略的展開図である。
【図４】図４は、図１の概略的断面図である。
【図５】図５は、図４のペット用おむつから糞収納袋を分離した状態の概略的断面図である。
【図６】図６は、図１の糞収納袋を図１と異なる他の実施例のペット用おむつに装着した装着側から見た写真である。
【図７】図７は、図６の反対側から撮った写真である。
【図８】図８は、図６のペット用おむつに装着される糞収納袋の写真である。
【図９】図９は、図８の糞収納袋の装着部が見えるように折って撮った糞収納袋の写真である。
【図１０】図１０は、図９の離剥紙を剥いだ写真である。
【図１１】図１１は、図６と異なる他の実施例の糞収納袋の概略的斜視図であり、図１１（ａ）は糞収納袋が開いた状態の概略的斜視図であり、図１１（ｂ）は図１１（ａ）の糞収納袋が閉じた状態の概略的斜視図である。
【図１２】図１２（ａ）は、図１１（ａ）の帯状部材の概略的斜視図であり、図１２（ｂ）は、図１１（ｂ）の帯状部材の概略的斜視図である。
【発明を実施するための形態】
【００２１】
本発明の一実施例の糞収納袋及びペット用おむつを図面（図１乃至図５）を参照して説明する。
図１に示すＰは本体１の長手方向の腹当接部２と背当接部３との間であって、ペット５の肛門に臨む位置にある開口部Ｋを有したペット用おむつで、４はペット用おむつＰに装着される糞を収納する糞収納袋である。
【００２２】
糞収納袋４の開口部４１は、ペット５の肛門に臨むように、開口部Ｋの縁部に取り付けられ、糞収納袋４の開口部４１から遠い側の糞収納袋４の端部４２は閉塞すると共に、本体１の外側に位置し、糞収納袋４は、ペット５の尻尾５１を通す尻尾穴４３を備えている。
そして、糞収納袋４は、上部に開口部４１を有する柔軟性のある合成樹脂製の樹脂袋（例えば、ビニール製袋）で、糞収納袋４の開口縁部の裏面側を本体１の内側の開口部Ｋの縁部に接着剤で接着することができるもので、図１〜図４では、糞収納袋４は、本体１の内側の開口部Ｋの縁部に接着剤で接着されている。
【００２３】
また、袋４の開口部４１は、ペット５の肛門に臨むように、本体１の内側の開口部Ｋの縁部に取り付けられる。取り付けは、例えば、袋４の開口縁部の裏面側をおむつ本体１の内側の開口部の縁部に接着剤または両面テープで接着している。  
なお、望ましくは、例えば、両面テープのように、糞収納袋４の開口縁部の裏面側に縁部材（図示せず）が設けられ、縁部材（図示せず）が本体１の内側の開口部Ｋの縁部に接着剤を介して着脱自在に取り付けられているのが良い。縁部材（図示せず）の一方の面と他方の面には、それぞれ接着剤が塗布されている。
【００２４】
上述した糞収納袋４によれば、糞収納袋４の開口縁部の裏面側を本体１の内側の開口部Ｋの縁部に接着剤で接着することができるため、本体１の長手方向の腹当接部２と背当接部３との間であって、ペット５の肛門に臨む位置にある開口部Ｋを利用して、糞収納袋４をペット用おむつＰに容易に装着して、糞を簡易且つ迅速に回収することができる使用勝手が向上した糞収納袋４を得ることができ、しかも、糞収納袋４は、柔軟性のある合成樹脂製の樹脂袋であるため、ペット５がペット用おむつＰを装着した使用中、ペット５が寝たり、歩いたりしても、ペット５の動きを糞収納袋４が妨げない利便性を有し、また、糞収納袋４のみが使用済みで、糞収納袋４以外のペット用おむつＰが使用可能であれば、使用済みの糞収納袋４を、ペット用おむつＰから離脱し、未使用の糞収納袋４をペット用おむつＰに装着すればペット用おむつＰとして、再生することができる。
なお、糞収納袋４が装着されたペット用おむつＰにおいても、上述と同様に、糞収納袋４の開口縁部の裏面側を本体１の内側の開口部Ｋの縁部に接着剤で接着することができるため、本体１の長手方向の腹当接部２と背当接部３との間であって、ペット５の肛門に臨む位置にある開口部Ｋを利用して、糞収納袋４をペット用おむつＰに容易に装着して使用勝手が向上したペット用おむつＰを得ることができ、しかも、糞収納袋４は、柔軟性のある合成樹脂製の樹脂袋であるため、ペット５がペット用おむつＰを装着した使用中、ペット５が寝たり、歩いたりしても、ペット５の動きを糞収納袋４が妨げない利便性を有し、また、糞収納袋４のみが使用済みで、糞収納袋４以外のペット用おむつＰが使用可能であれば、使用済みの糞収納袋４を、ペット用おむつＰから離脱し、未使用の糞収納袋４をペット用おむつＰに装着すればペット用おむつＰとして、再生することができる。
【００２５】
また、尻尾穴４３は、単なる円等の開口部でも良いが、望ましくは、図示しないが、十字又は、逆Ｔ字（逆Ｔ字の切り込み４３は、例えば、図８に示すように、水平な切り込みと、この水平な切り込みの中点より垂直方向の切り込みとを備えている。）に切り込みが入れられているのが良い。
尻尾穴４３が、十字又は逆Ｔ字の切り込みが入れられていると、装着されるペット５の尻尾５１の太さに応じて、つまり、切り込みが小さい場合、十字又は逆Ｔ字の切り込みを若干裂いてフィットさせることができ、糞収納袋４の開口部４１と肛門の位置をずらすことなく装着でき、柔らかい便も外に漏らすことを防ぐことができる。
【００２６】
本願発明にいう「ペット用おむつＰ」は、尿を吸収する高分子吸収剤を使用している使い捨て用のペット用おむつＰのみならず、図６及び図７に示す本体１’の腹当接部２に着脱自在に取り付けられた尿とりパッド２’とを備えているペット用おむつ（ペット用おむつカバー）Ｐをも含む概念である。
図６及び図７記載のペット用おむつＰは、本体１’の長手方向の腹当接部２と背当接部３との間に開口部Ｋを有している。糞を収納する糞収納袋４は、本体１’の外側に位置している。また、ペット（図示せず）の尻尾（図示せず）を通す尻尾穴４３（図８参照）が、糞収納袋４に設けられている。また、本体１’の腹当接部２に尿とりパッド（尿吸収部材）２’が着脱自在に取り付けられている。
【００２７】
このペット用おむつＰも、上述した図１〜図５記載のペット用おむつＰと同様、糞収納袋４の尻尾穴４３にペット（図示せず）の尻尾（図示せず）を通し、糞収納袋４の開口部４１をペット（図示せず）の肛門に臨むように、本体１’の内側の開口部Ｋの縁部に取り付けられ、糞収納袋４は、上部に開口部４１を有する柔軟性のある合成樹脂製の樹脂袋（例えば、ビニール製袋）で、糞収納袋４の開口縁部の裏面側を本体１’の内側の開口部Ｋの縁部に接着剤または両面テープで接着している。
例えば、図６に示すように、糞収納袋４の開口縁部の裏面側に縁部材４”が設けられ、縁部材４”が本体１’の内側の開口部の縁部に接着剤を介して着脱自在に取り付けられている。
この糞収納袋４の開口縁部の裏面側に縁部材４”を設ける点は、図１〜図５記載のペット用おむつＰにも同様に、適用することができる。
袋４の開口縁部の裏面側に縁部材４”が設けられ、縁部材４”が本体１’の内側の開口部の縁部に接着剤を介して着脱自在に取り付けられていると、袋４を本体１’に容易に着脱することができる。図９及び図１０に示す４”’は、剥離紙である。
【００２８】
従って、上述した図６及び図７記載の糞収納袋４によれば、糞収納袋４の開口縁部の裏面側を本体１の内側の開口部Ｋの縁部に接着剤で接着することができるため、本体１’の長手方向の腹当接部２と背当接部３との間であって、ペットの肛門に臨む位置にある開口部Ｋを利用して、糞収納袋４をペット用おむつＰに容易に装着して、糞を簡易且つ迅速に回収することができる使用勝手が向上した糞収納袋４を得ることができ、しかも、糞収納袋４は、柔軟性のある合成樹脂製の樹脂袋であるため、ペットがペット用おむつＰを装着した使用中、ペットが寝たり、歩いたりしても、ペットの動きを糞収納袋４が妨げない利便性を有し、また、糞収納袋４のみが使用済みで、糞収納袋４以外のペット用おむつＰが使用可能であれば、使用済みの糞収納袋４を、ペット用おむつＰから離脱し、未使用の糞収納袋４をペット用おむつＰに装着すればペット用おむつＰとして、再生することができる。
なお、糞収納袋４が装着されたペット用おむつＰにおいても、上述と同様に、糞収納袋４の開口縁部の裏面側を本体１の内側の開口部Ｋの縁部に接着剤で接着することができるため、本体１’の長手方向の腹当接部２と背当接部３との間であって、ペットの肛門に臨む位置にある開口部Ｋを利用して、糞収納袋４をペット用おむつＰに容易に装着して使用勝手が向上したペット用おむつＰを得ることができ、しかも、糞収納袋４は、柔軟性のある合成樹脂製の樹脂袋であるため、ペットがペット用おむつＰを装着した使用中、ペットが寝たり、歩いたりしても、ペットの動きを糞収納袋４が妨げない利便性を有し、また、糞収納袋４のみが使用済みで、糞収納袋４以外のペット用おむつＰが使用可能であれば、使用済みの糞収納袋４を、ペット用おむつＰから離脱し、未使用の糞収納袋４をペット用おむつＰに装着すればペット用おむつＰとして、再生することができる。
【００２９】
上述したペット用おむつＰは、ペット５の肛門に開口部４１を近接して臨ませ、糞を簡易且つ迅速に回収することができる使用勝手が向上した糞収納袋４について、説明したが、本願発明は、これに限らず、図１１及び図１２に示すように、ペット５の肛門に開口部４１を遠くに臨ませ、糞を簡易且つ迅速に回収することができる使用勝手が向上した糞収納袋４をも含むものである。
【００３０】
糞の回収方法に当たっては、図１１（ａ）に示すように、袋（糞収納袋）４と、この袋（糞収納袋）４の開口縁部を外側に折り曲げて形成された折り曲げ部Ｍと、袋（糞収納袋）４の外側であって折り曲げ部Ｍの内側に位置する帯状部材６とを備えている。
帯状部材６の一方の端部６Ａより他方の端部６Ｂに近い側にあって、帯状部材６の長手方向に平行なスリット６１が設けられ、このスリット６１に帯状部材６の一方の端部６Ａを通し、帯状部材６の一方の端部６Ａを引っ張り、この引っ張りを解除した位置で帯状部材６がスリット６１に摩擦により係止するものであり、帯状部材６により保持された袋（糞収納袋）４の開口部４１をペット５の糞の落下予想位置に置き、袋（糞収納袋）４に糞が収納された後、袋（糞収納袋）４の開口部４１が閉じるように帯状部材６の一方の端部６Ａを引っ張り、この引っ張りを解除した位置で帯状部材６をスリット６１に摩擦により係止させるものである。回収後は、一方の端部６Ａを手に持つことができる。
【００３１】
この糞収納袋４によれば、帯状部材６により保持された糞収納袋４の開口部４１［図１１（ａ）  図１２（ａ）］をペット５の糞の落下位置に置き、糞収納袋４に糞が収納された後、糞収納袋４の開口部４１が閉じるように帯状部材６の一方の端部６Ａを引っ張り、この引っ張りを解除した位置でスリット６１に帯状部材６を摩擦により係止させる［図１１（ｂ）  図１２（ｂ）］ため、糞を簡易且つ迅速に回収することができる。
【００３２】
上述した糞収納袋４にあっては、袋（糞収納袋）４のみ一枚使用したが、本願発明にあっては、これに限らず、袋（糞収納袋）４、袋（糞収納袋）４の内側に紙製の袋（図示せず）と２枚使用しても良い。
糞の回収方法に当たっては、袋（糞収納袋）４と、この袋（糞収納袋）４の内側に位置した紙製の袋（図示せず）と、袋（糞収納袋）４及び紙製の袋（図示せず）の開口縁部を外側に折り曲げて形成された折り曲げ部Ｍと、袋（糞収納袋）４の外側であって折り曲げ部Ｍの内側に位置する帯状部材６とを備えている。
帯状部材６の一方の端部６Ａより他方の端部６Ｂに近い側にあって、帯状部材６の長手方向に平行なスリット６１が設けられ、帯状部材６の一方の端部６Ａをスリット６１に通し、帯状部材６の一方の端部６Ａを引っ張り、この引っ張りを解除した位置で帯状部材６がスリット６１に摩擦により係止するものであり、帯状部材６により保持された袋（糞収納袋）４及び紙製の袋（図示せず）の開口部４１［図１１（ａ）  図１２（ａ）］をペット（図示せず）の糞の落下予想位置に置き、紙製の袋４’に糞が収納された後、袋（糞収納袋）４及び紙製の袋（図示せず）の開口部４１が閉じるように帯状部材６の一方の端部６Ａを引っ張り［図１１（ｂ）  図１２（ｂ）］、この引っ張りを解除した位置で帯状部材６をスリット６１に摩擦により係止させるものである［図１１（ｂ）  図１２（ｂ）］。回収後は、一方の端部６Ａを手に持つことができる。
【００３３】
この糞収納袋４によれば、帯状部材６により保持された糞収納袋４及び紙製の袋（図示せず）の開口部４１［図１１（ａ）］をペット（図示せず）の糞の落下予想位置に置き、紙製の袋（図示せず）に糞が収納された後、糞収納袋４及び紙製の袋（図示せず）の開口部４１が閉じるように帯状部材６の一方の端部６Ａを引っ張り、この引っ張りを解除した位置で帯状部材６をスリット６１に摩擦により係止させる［図１１（ｂ）］ため、糞を簡易且つ迅速に回収することは勿論のこと、糞の回収後、 袋４から糞が入った紙製の袋（図示せず）を簡易且つ迅速に分離することができ、場合によっては、糞が入った紙製の袋（図示せず）をトイレに流して処理することができる。
【符号の説明】
【００３４】
Ｐ      ペット用おむつ
Ｋ      開口部（本体）
１      本体
２      腹当接部
３      背当接部
４      糞収納袋
４１    開口部（糞収納袋）
４２    端部
４３    尻尾穴
５      ペット
５１    尻尾
【図１】
2019022466.tif 000003
【図２】
2019022466.tif 000004
【図３】
2019022466.tif 000005
【図４】
2019022466.tif 000006
【図５】
2019022466.tif 000007
【図６】
2019022466.tif 000008
【図７】
2019022466.tif 000009
【図８】
2019022466.tif 000010
【図９】
2019022466.tif 000011
【図１０】
2019022466.tif 000012
【図１１】
2019022466.tif 000013
【図１２】
2019022466.tif 000014
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
本体の長手方向の腹当接部と背当接部との間であって、ペットの肛門に臨む位置にあ
る開口部を有したペット用おむつに装着される糞を収納する糞収納袋であって、
前記糞収納袋の開口部は、前記ペットの肛門に臨むように、前記開口部の縁部に取り
付けられ、
前記糞収納袋の開口部から遠い側の前記糞収納袋の端部は閉塞すると共に、前記本体
の外側に位置し、
前記糞収納袋は、ペットの尻尾を通す尻尾穴を備え、
前記糞収納袋は、上部に開口部を有する柔軟性のある合成樹脂製の樹脂袋で、前記糞
収納袋の開口縁部の裏面側を前記本体の内側の開口部の縁部に接着剤で接着することがで
きる
ことを特徴とする糞収納袋。
【請求項２】
糞収納袋の開口縁部の裏面側に縁部材が設けられ、前記縁部材が本体の内側の開口部
の縁部に接着剤を介して着脱自在に取り付けられている
ことを特徴とする請求項１記載の糞収納袋。
【請求項３】
糞収納袋に形成された尻尾穴は、十字又は逆Ｔ字に切り込みが入れられている
ことを特徴とする請求項１〜２のいずれかに記載の糞収納袋。
【請求項４】
本体の長手方向の腹当接部と背当接部との間に開口部を有したペット用おむつであっ
て、
前記本体の外側に位置し、糞を収納する糞収納袋と、
前記糞収納袋に設けられ、ペットの尻尾を通す尻尾穴とを備え、
前記糞収納袋の開口部は、前記ペットの肛門に臨むように、前記本体の内側の前記開
口部の縁部に取り付けられ、
前記糞収納袋は、上部に開口部を有する柔軟性のある合成樹脂製の樹脂袋で、前記糞
収納袋の開口縁部の裏面側を前記本体の内側の開口部の縁部に接着剤で接着しているもの
である
ことを特徴とするペット用おむつ。
【請求項５】
本体の腹当接部に着脱自在に取り付けられた尿とりパッドとを備えている
ことを特徴とする請求項４記載のペット用おむつ。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】